(57)【要約】【課題】移動に便利でパソコン等から独立させて随時随所で所望のオーディオを楽しむことができる移動可能なオーディオストリーミング及びロギング装置を提供する。【解決手段】オーディオストリーミングプレイヤーを設け、インターフェイスでインターネットと接続するだけで、全世界のオーディオストリーミングサーバにアクセスできるようにし、オーディオストリーミングサーバの提供するインフォメーションを再生するべく、プログラム化できるエレメントで随時システムの更新目的を達成し、適当なメモリ及び演算能力の充分なCPUを採用することで使用者が所望のサーバのアクセスサイトを記録できるようにする。【選択図】        図2   
0003109563.tif 000002
【実用新案登録請求の範囲】
【請求項１】
プログラム化が可能なエレメントと、メモリスペースと、プロセッシングユニットと、デジタルとアナログのアウトプットより構成される移動可能なオーディオストリーミング及びロギング装置において、
本装置のコーディングを担い、プログラムのオペレートを行う該プログラム化が可能なエレメントと、
メモリ装置使用者の所望の行為をオペレートし、コーディングを提供することで演算や保存に必要なスペースを提供する該メモリスペースと、
コーディング時期や使用者の行為をオペレートする際に演算を行なって反応するための該プロセッシングユニットと、
オーディオインプット及びオーディオストリーミングのコーディング後に提供される、内部搭載タイプあるいは外接タイプの該デジタルとアナログのアウトプットと、を具有し、移動が可能なオーディオストリーミング装置として、内部には更にコーディングとメモリを行う機能を具有するエレメントを設け、相関するコーディング及び装置のグレードアップシグナルを更新し、異なるオーディオストリーミングフォーマットに対し、解読後にアウトプットを行ない、オーディオインフォメーションが受信され、プロセッシングユニットとメモリ空間の双方向の働き、及びプログラム化が可能なエレメントの幇助により、アナログ或いはデジタルによるオーディオシグナルをアウトプットする目的を達成することを特徴とする移動可能なオーディオストリーミング及びロギング装置。
【請求項２】
該プログラム化が可能なエレメントにはFPGA（Field Programmable Gate Array）を採用してプログラムの記録を行ない、随時相関するコーディング装置を更新することを特徴とする移動可能なオーディオストリーミング及びロギング装置。
【請求項３】
該プログラム化が可能なエレメントとは、固定記録タイプで任意に更新できないものとし、コーディングと使用者の操作に符合するプログラムのみを保存することを特徴とする請求項１記載の移動可能なオーディオストリーミング及びロギング装置。
【請求項４】
該メモリスペースとは、揮発性と非揮発性メモリとにより構成される、若しくは揮発性のみか非揮発性のみの単独のものによることを特徴とする請求項１記載の移動可能なオーディオストリーミング及びロギング装置。
【請求項５】
該メモリスペースの構成は、記録機能を提供する任意のオーディオであることを特徴とする請求項１記載の移動可能なオーディオストリーミング及びロギング装置。
【請求項６】
該プロセッシングユニットとはデジタルシグナルプロセッサ（DSP）によるものであることを特徴とする請求項１記載の移動可能なオーディオストリーミング及びロギング装置。
【請求項７】
該プロセッシングユニットには、その他の演算能力のあるプロセッサーを採用し、該演算能力とはオーディオストリーミングのエンコード及びデコードを達成し、且つ使用者のオペレーションを処理できるものであることを特徴とする請求項１記載の移動可能なオーディオストリーミング及びロギング装置。
【請求項８】
該デジタルとアナログインプットは内部に搭載したオーディオアウトプット装置であるか、或いは外接によるオーディオインプット装置とし、アウトプットのモードはアナログ或いはデジタルによるものであることを特徴とする請求項１記載の移動可能なオーディオストリーミング及びロギング装置。
【請求項９】
該デジタルとアナログのアウトプットは、オーディオインプットのインターフェイスがネットワークコネクトポートを通して行う、或いはその他の通常使用されているオーディオインプットインターフェイスであることを特徴とする請求項１記載の移動可能なオーディオストリーミング及びロギング装置。
【請求項１０】
該デジタルとアナログのアウトプットとは、本装置におけるオーディオアウトプットとインプットのインターフェイスであり、全ての対応するオーディオ或いはネットワークアウトプット装置を含むことを特徴とする請求項１記載の移動可能なオーディオストリーミング及びロギング装置。
【考案の詳細な説明】
【技術分野】
【０００１】
本発明は移動可能なオーディオストリーミング及びロギング装置に係し、特に小型で移動が容易であり、デジタル方式によるオーディオストリーミング機能を具有すると同時にオーディオロギング機能も同時に具有する装置に関わる。
【背景技術】
【０００２】
インターネットの普及により、多くのオーディオ、つまりテレビやラジオ局等は次第に番組や内容をネットワーク中に設置し、更に多くの使用者にインフォメーションを提供しようとしている。パソコンとインターネットの接続により、これらのオーディオストリーミングを得ることができるようになっており、使用者はリモート状態でオーディオのインフォメーションを受信することができ、言語や媒介の制限を受けることなく、音声や映像が楽しめるようになっている。従来オーディオによる放送を高品質で即時受信して鑑賞するのに必要だったケーブルや電波などは、現在では同時に世界中で受信するためには障害となるものであり、つまり距離が遠いほどオーディオの受信が困難となってしまうのである。そこでインターネットによるオーディオの普及が発展してきており、距離に関係なく鑑賞できるようになっているのである。
【考案の開示】
【考案が解決しようとする課題】
【０００３】
しかし欠点として、使用者がこれらオーディオストリーミングを受信するとき、現在ではパソコンやネットワークとの連結に頼っており、携帯或いは頻繁に移動を行ないたい場合にはノートブック型パソコンやその他の携帯タイプの電子装置に頼るしかないこと、また携帯型のものでも、固定式のものにおいても、共通することはこれらオーディオストリーミング再生機能を具有していなければならないこと等である。つまり使用者が携帯するのにはその大きさなどからまだまだ不便であること、更にはその他の機能が不用でオーディオの受信のみが必要であるときにも、一台のコンピュータを揃えなければ受信できないのであれば、大変無駄であることが言える。
上述の欠点に鑑み、持ち運びに便利なよう、パソコン等から独立させて随時随所で所望のオーディオを楽しむことができる本考案の移動可能なオーディオストリーミング及びロギング装置を提供する。
【課題を解決するための手段】
【０００４】
有線、或いはワイヤレスによるインターフェイスでインターネットと接続するだけで、全世界のオーディオストリーミングサーバにアクセスできるようにし、これらオーディオストリーミングサーバの提供するインフォメーションを再生するべく、本装置であるオーディオストリーミングプレイャー中では、プログラム化できるエレメントで随時システムの更新目的を達成し、適当なメモリ及び演算能力の充分なCPUを採用することで使用者が所望のサーバのアクセスサイトを記録できるようにし、対応するコーディングの演算法にCPU間の適切な働きを合わせ、オーディオストリーミングシグナルのアウトプットとロギングの目的を達成する。
この他に、オーディオウェッブサイトのデータが充実するウェッブサイトより使用者はオーディオウェッブサイドの情報をアップロードすることもできる。
【考案の効果】
【０００５】
本考案によると、インターネットで公開された世界各国のオーディオストリームをロギング、並びに必要なときに再生して楽しめる小型装置が提供される他、相関するソフトやデコーダの更新が容易に行われ、またオーディオストリームサーバのサイトを記録においては使用者自ら設定が行って本装置に保存でき、中心となるウェブサイトを設ければサイトの検索やジャンル別でのサイトの提供サービスを提供することもできるようになる。
【考案を実施するための最良の形態】
【０００６】
本装置には以下の各エレメントを含むことで、ネットワークとの連結やオーディオストリーミングの再生、オーディオのロギング、デコーダとソフトの更新、並びにオーディオストリーミングサーバのサイトの記録と検索ができるようにする。
【０００７】
図１，２に示すように、本装置１とインターネット２がネットワーク連結ポートによって遠端のオーディオストリーミングサーバ３や中央サーバ４とシリアル接続する目的が達成される。該中央サーバ４であるが、主に使用者がワールドワイドでオーディオストリーミングサーバを使用できるようにし、使用者が容易に所望のウェブサイトのインフォメーションを得られるようにし、該ウェブサイト中には、例えば人気のウェブサイト集、その他のジャンル等が含まれ、ウェブサイト全体のインフォメーションが容易に得られるようにする。本装置１のオーディオストリーミングアウトプット５は内部組み込み型或いは外接式のデジタル、若しくはアナログのオーディオ出力シグナルとし、使用者が自ら選択を行なって、オーディオストリーミングシグナルをアウトプットできるようにする。
【０００８】
本考案におけるプレイヤー１には数個の重要な装置が含まれるが、一つはインターネット２のネットコネクトポート６であり、該ネットコネクトポート６とは有線連結方式、或いはワイヤレス連結方式とし、該ネットコネクトポート６でオーディオストリーミング連結のシグナルを受けた後、システム中に提供されるFPGA7が予めプログラミングされた動作を行ない、受信したオーディオストリーミングフォーマットに対しデコーダを提供する。このデコーダとはFPGA7中、或いは装置オ中のメモリスペース８とし、該メモリスペース８は任意の不可揮発式メモリによって完成、或いは可揮発式メモリを併せて使用するものとし、具体的にはFLASH  Memory やSDRAM (Synchronous Dynamic Random Access Memory)等であり、デジタルシグナルプロセッサ（DSP：Digital Signal Processor)９を併せ、受信したオーディオストリーミングが解読され、解読を経たシグナルを必要なアウトプットフォーマットでアウトプットし、
アナログでのアウトプットが必要であれば、解読後のデジタルオーディオシグナルをデジタルアナログコンバータ（DAC：Digital to Analog Converter)１０に送り、アナログに転換してアナログオーディオアウトプット１１を行う。デジタルシグナルをアナログシグナルに転換した後、該アナログシグナルは内部組み込み１２或いは外接タイプのスピーカやイヤホン等のアナログオーディオアウトプット１１、及びスクリーンに伝送される。内部組み込み型と外接タイプの音声シグナル、及びオーディオシグナルを映し出す措置とは、アナログ１１，組み込みアナログオーディオアウトプット１２或いは組み込みアナログオーディオアウトプット１３，デジタルオーディオアウトプット１４タイプのものとするが、本装置ではデジタルシグナルによるものとし、より高品質のオーディオストリーミングを提供する。
【０００９】
本装置１におけるメモリスペース８とは、デコーダの保存以外にも、使用者がオーディオストリーミングサーバ３のサイトの保存空間を提供し、インターネット２を通じで連結し、中央サーバ４でオーディオストリーミング３のサイトをダウンロードする。該メモリスペース８は使用者の必要に応じて随時更新できるものであり、更新された内容はデコーダ、オーディオストリーミングサーバ３のサイト等に限られず、該装置１にその他のシステムが必要とするメモリ機能を提供するものとしてもよい。
【００１０】
オーディオストリーミングのロギングにおいては、本装置１中においてエンコーダによるもの、或いは直接ロギングする方式によるものとする。オーディオインプットインターフェイスにおいては、インターネット２以外にも、通常用いられてる標準タイプのオーディオインプットインターフェイス１５を設けてもよく、マイクロフォンやAV端子等がこれに含まれ、オーディオインプットインターフェイスを提供するものとする。ロギングデータは該メモリスペース８中に保存され、後に繰り返し再生できるようにする。オーディオインプットのシグナルはアナログシグナルである場合、ADCアナログデジタルコンバータ１６を通じてアナログシグナルをデジタルシグナルに転換し、装置内部のFPGA７或いはその他のエレメントの必要に応じられるようにする。
【００１１】
図３，４に示すように、本装置１には一つ以上のディスプレイスクリーン１７を設け、オーディオストリーミングサーバ３のサイトをディスプレイし、使用者がオペレーションボタン１８により選択を行う、或いはオーディオストリーミングシグナルを出l巣プレ及び再生状態を選択するものとする。また、ワイヤレスコネクションインターフェイス１９及び有線コネクションインターフェイス２０でインターネット２に接続し、またディスプレイ装置には各指示ライトが含まれるが、これにはシグナルの強弱を表すシグナルライト２１、ストリーミング状態ライト２２、並びに電源供給状態を示す電源指示ライト２３が含まれる。使用者がボリュームコントロール２４により音量のアウトプットを調整し、音量やオーディオはビデオインプット２５やオーディオインプット２６よりアウトプットされ、電源供給は電池や電源インプット２７よりアウトプットされる。
【００１２】
本装置１とインターネット２との連結であるが、有線或いはワイヤレス方式により連結するネットコネクトポート６とし、プロトコルはTCP／IP或いはその他のプロトコル等とし、該プロトコルがキャリアオーディオ上にオーディオストリーミングデータを伝送でき、且つオーディオストリーミングサーバ３と中央サーバ４が定位できるものであればよい。即ち有線ネットワークの連結以外にも、現行のワイヤレスネットワーク環境、つまりブルートゥース、802.11、IrDA等を該装置１と該ネットワーク２の連結における媒介とすることができる。使用者のアクセス環境の設定は、該装置中のメモリスペース８に保存され、毎回設定を行わなくともよくし、後日相関する設定を選択すればよいようになっている。これらの連結媒介の使用は、単独もしくは並行で使用されるものであり、二種類以上のコネクト方式を採用する場合、使用者の設定を通じて、使用者が決定した伝送媒介が使用できるようになる。
【００１３】
オーディオストリーミングは該装置１のネットコネクトポート６を通じて受信が行われ、装置中のFPGA７がプログラム化され、該オーディオストリーミングファイルのフォーマットが判別できるようになり、また各種オーディオストリーミングのフォーマットは、RM、ASF、WMA等であり、最新のデコーダを提供する。該デコーダの設定及びデコードの演算方法はFPGA７或いはメモリスペース８中に保存され、必要なときに該でコーダを使用するものとする。該装置中のFPGA７は受信したストリームのフォーマットを比較し、ふさわしいデコーダを選択し、該装置中のDSP９によって該オーディオストリーミングを解読し、一シーケンスのデジタルオーディオシグナル化する。該FPGA７は随時プログラム化できるロジックゲートとし、使用者は該ネットワーク２を通じてダウンロード或いはその他の方式で相関する更新データを取得し、こうすることで該FPGA７中のプログラムを更新し、目まぐるしく変化するオーディオストリーミングのフォーマット変更に追いつけるようにする、或いは該装置１にその他の機能の更新や新設を提供する。
【００１４】
FPGA７も同時に使用者と該装置間のコミュニケーションポートのコントロールを提供する。例えばオーディオストリーミングサーバのサイトのインプット、オーディオ再生行為の制御、オーディオクオリティーのアウトプット調整、オーディオ品質のアウトプット方式、インターネット接続方式の選択等である。こういった設定行為と、該装置１と使用者間のインターフェイスは、該FPGA７中の予め設定されたプログラムによってコントロールされ、データの保留が必要である際には、該装置１中のメモリスペース８で充分なサイトの保存場所が提供される。
【００１５】
該装置１中のメモリスペース８は多数のプロセスを経て完成し、主な目的は使用者の設定の保存装置の設定、オーディオストリーミングサーバのサイトの保存、使用者の設置したデータの保存、使用者が自ら設定したオーディオストリーミングサーバのサイトの保存等である。該装置１と相関する保存行為は、該メモリスペース８により、充分なメモリスペースが提供される。その具体的方式は非揮発性ストレージメモリ、或いは揮発性メモリに合わせて、FLASH Memory、EPROM（Erasable Programmable Read Only Memory）、SDRAM、Hard Disk等とし、削除及び記録できるメモリであればよく、但し電力の供給がないときに限り、保留するメモリ内容を保持するものとする。
【００１６】
該メモリスペース８であるが、揮発性と非揮発性のメモリを合併して構成する、或いは別々に構成するものとし、揮発性メモリはオーディオストリーミングファイル中のバッファエリア、或いは該ネットワーク２とアクセスする際に必要なバッファエリアを処理するものとし、非揮発性メモリでは繰り返し使用される相関データを保存するものとする、即ちメモリスペースの利用と構成は、該装置１中のエレメントの必要に応じるものとする。
【００１７】
本装置１中のDSP９は、コーディング相関の演算を担うものであり、該DSP９の演算能力は現段階で流通するオーディオストリーミングのフォーマットに見合ったもの、或いは更なる演算能力を備えるものとし、将来に出現するであろう更に進化したコーディングに対応できるようにする。。該DSP9が得たオーディオストリーミングに対し解読を行った後、デコード後のデジタルオーディオシグナルをアウトプットし、該デジタルオーディオシグナルは、内部組み込み、或いは外接されたデジタルオーディオ装置により受信され、対応するデータ状況を映し出す。
【００１８】
組み込みアナログオーディオアウトプット１２、アナログオーディオアウトプット１１のオーディオ表現設備においては、該装置１がDAC１０を提供し、該デジタルオーディオシグナルが該DAC１０によりアナログシグナルに転換され、アナログシグナルがアウトプットされ、アナログオーディオ装置に対応したオーディオストリーミングを提供する。
【００１９】
該装置１の電源供給方式においては、電池或いは有線電源で直流或いは交流の電源を入力し、交流電流電源の入力に対しては、正常に働くための変圧器装置が必要となる、電源の選択であるが、使用者が固定電源を選択する、もしくは電池を設置するかで決まり、固定した場所でも携帯用としても使用できるようになっている。
【００２０】
該装置１のメモリスペース８は更に、オーディオストリームシグナルをロギングするのに使用され、ネットコネクトポートを通じてメモリスペースに対してオーディオシグナルを保存し、後に繰り返し使用できるようにする。且つ該オーディオシグナルの入力については、ネットコネクトポート６に限られず、例えばマイクやAV（オーディオビデオ）の接点であるデジタルオーディオインプット１５としてもよく、必要なオーディオシグナルを記録するものとする。こういったオーディオシグナルの記録方式において、相関するエンコーダ及びエンコードの動作が必要である際には、本装置１中のFPGA７やDSP９によってエンコードが完成され、該メモリスペース８がエンコードの動作を幇助する、つまりバッファエリアやデコーダ演算法のレジスタ等を提供するものとする。こうして入力されるビデオオーディオシグナルがアナログである場合、ADC１６を経て、該シグナルシグナルをデジタルシグナルに転換し、本装置１中にて処理を行うものとする。該ADC１６装置とは本装置１内に搭載されているか、或いは外接タイプのものでも構わない。
【００２１】
図３，４に示すように、本装置１には一つ以上のディスプレイスクリーン１７が設けられ、使用者が選択したオーディオストリーミングサーバや解読後のシグナルをディスプレイするものとする。本装置１の使用状態、即ち電源やシグナル受信状態、再生状況等は、電源指示ライト２３、シグナルライト２１、ストリーミング状態ライト２２で示される。音のボリュームはボリュームコントロール２４で調整を行う。また使用者はオペレーションボタン１８を使用することで本装置１の設定及び選択を行う。本装置１の有線コネクションインターフェイス２０及びワイヤレスコネクションインターフェイス１９であるが、本装置１とインターネットの連結を行うものであり、オーディオストリーミングのアウトプットにおいては、内部に搭載されたスピーカやディスプレイ以外にも、ビデオインプット２５やオーディオインプット２６で外接のディスプレいやスピーカ、イヤフォン等の装置にアウトプットできるものとする。本装置１の電源供給は、電池の設置、或いは電源インプット２７により操作に必要な電源を提供するものとする。
【００２２】
本装置１中の各エレメントは、異なるメディアやキャリアツールにより本装置１中のエレメントに類似する機能を達成するが、例えばFPGA７ではプログラム化更新できないエレメントを更新したり、メモリスペース８の保存媒介を変更したり、或いはネットワークコネクションインターフェイス１９を変更したり、その他のプロセッサによりデコードを行うこと等がこれに含まれるものとする。
【図面の簡単な説明】
【００２３】
【図１】本考案とインターネットの連結におけるシステム構造図である。
【図２】本考案における主な構造のシステム設置図である。
【図３】本考案における外観説明図（正面図）である。
【図４】本考案における外観説明図（側面図）である。
【符号の説明】
【００２４】
１  オーディオストリーミングプレイャー
２  インターネット
３  オーディオストリーミングサーバ
４  中央サーバ
５  オーディオストリーミングアウトプット
６  ネットコネクトポート
７  FPGA（Field Programmable Gate Array）
８  メモリスペース
９  デジタルシグナルプロセッサ
１０  デジタルアナログコンバータ
１１  アナログオーディオアウトプット
１２  組み込みアナログオーディオアウトプット
１３  組み込みデジタルオーディオアウトプット
１４  デジタルオーディオアウトプット
１５  デジタルオーディオインプット
１６  アナログデジタルコンバータ
１７  ディスプレイスクリーン
１８  オペレーションボタン
１９  ワイヤレスコネクションインターフェイス
２０  有線コネクションインターフェイス
２１  シグナルライト
２２  ストリーミング状態ライト
２３  電源指示ライト
２４  ボリュームコントロール
２５  ビデオインプット
２６  オーディイオインプット
２７  電源インプット
【図１】
0003109563.tif 000003
【図２】
0003109563.tif 000004
【図３】
0003109563.tif 000005
【図４】
0003109563.tif 000006